(57)【要約】  レーダーセンサを作動させる方法において、次の各ステップを有する：送信信号が発信され、少なくとも１つの目標物体で反射された送信信号が受信ユニット（１００）により受信され、受信信号が評価され、評価された受信信号に依存してハイパスフィルタ（４０）の限界周波数（ｆＧ１．．．ｆＧｎ）が制御される。  【選択図】  図５
2019507351.tif 000002
【特許請求の範囲】
【請求項１】
レーダーセンサを作動させる方法において、次の各ステップを有しており、すなわち、
送信信号が発信され、
少なくとも１つの目標物体で反射された送信信号が受信ユニット（１００）により受信され、
受信信号が評価され、
評価された受信信号に依存してハイパスフィルタ（４０）の限界周波数（ｆＧ１．．．ｆＧｎ）が制御される方法。
【請求項２】
評価された受信信号に応じて前記ハイパスフィルタ（４０）の定義された数の限界周波数が調整される、請求項１に記載の方法。
【請求項３】
前記ハイパスフィルタ（４０）の限界周波数は受信信号が強力であるほど高く調整される、請求項１に記載の方法。
【請求項４】
受信信号の最大値が最大値認識装置（７０）により検出されて、受信信号とともに前記制御装置（８０）へ供給される、先行請求項のうちいずれか１項に記載の方法。
【請求項５】
前記受信ユニット（１００）のすべてのチャネルから最大値が判定される、先行請求項のうちいずれか１項に記載の方法。
【請求項６】
レーダーセンサにおいて、
受信ユニット（１００）と、
受信信号の最大値を判定するための最大値認識装置（７０）と、
受信信号の検出された最大値および受信信号を供給可能である制御装置（８０）とを有し、前記制御装置（８０）によって、判定された最大値および受信信号に依存してハイパスフィルタ（４０）の限界周波数（ｆＧ１．．．ｆＧｎ）を制御可能であるレーダーセンサ。
【請求項７】
前記制御装置（８０）は前記受信ユニット（１００）の内部に構成されることを特徴とする、請求項６に記載のレーダーセンサ。
【請求項８】
前記制御装置（８０）は前記受信ユニット（１００）の外部に構成されることを特徴とする、請求項６に記載のレーダーセンサ。
【請求項９】
電子制御装置（８０）で進行するときに、またはコンピュータ読取り可能なデータ媒体に保存されたときに、請求項１から５のいずれか１項に記載の方法を実施するためのプログラムコード手段を有しているコンピュータプログラム製品。
【発明の詳細な説明】
【技術分野】
【０００１】
本発明は、レーダーセンサを作動させる方法に関する。さらに、本発明はレーダーセンサに関する。
【背景技術】
【０００２】
周辺区域検出のためのレーダーセンサは、受信器の利用可能なダイナミクス範囲に関して高い要求を課す。このダイナミクスは２つの構成要素によって生じる。第１の構成要素を形成するのは距離ダイナミクスである。目標物体との距離が遠くなるほど、受信レベルが低くなる。レーダー方程式が示すところでは、点目標のレベルは１０倍ごとに約４０ｄＢだけ低下していく。第２の構成要素は、後方散乱断面積ないしレーダー断面積（英語radar cross section, RCS）によって形成される。たとえば歩行者はわずかな出力しか反射しないが、それに対して、たとえばトラックはそれよりも非常に高い出力を受信器で生成する。
【０００３】
上述した各構成要素は相互に影響しないわけではない。目標物がもはや点目標としては観察されず、アンテナローブに比べて大きいとき、それはアンテナによってもはや完全にカバーすることができない。目標物との距離とカバレージとの間の依存性が生じ、それに伴って目標物の後方散乱断面積が生じる。
【０００４】
レーダー受信器のアナログブロックは非常に高いダイナミクス範囲を有しているのに対して、システム全体のダイナミクス範囲はアナログ・デジタル・コンバータによって制約される。コンバータのビット幅およびこれに伴ってダイナミクス範囲を少しでも広げることはチップ面積の増大と損失出力の増加につながり、コストや放熱の理由から慎重に検討されるべきである。
【０００５】
このような問題をダイナミクス圧縮によって解決することが知られている。ダイナミクス圧縮は、ハイパスフィルタのエッジを操作することによって実現することができる。点目標についての距離ダイナミクスは、理論上、たとえばハイパスエッジにおける目標周波数についての二次ハイパスフィルタによって完全に補償される。
【０００６】
慎重な設計にもかかわらず、受信器が信号によって過励振されることが起こり得る。このようなケースは望ましくない。そのせいで、目標物として解釈され得る新たな周波数成分が発生する可能性があるからである。したがって、過励振が生じることになる変調を破棄しなければならない。有効なデータを再び得るために、従来の方式ではたとえば自動利得制御（英語automatic gain control, AGC）によって、過励振に対処しなければならない。信号が強すぎると受信増幅器の利得が少なくなり、このことは、すべての受信信号のレベルを同じように引き下げる。それによって過励振状況は取り除かれるものの、このことは、微弱な目標物を検知できなくなることにも通じる。
【発明の概要】
【発明が解決しようとする課題】
【０００７】
本発明の課題は、レーダーセンサを作動させる改善された方法を提供することにある。
【課題を解決するための手段】
【０００８】
この課題は、第１の態様では、次の各ステップを有するレーダーセンサを作動させる方法によって解決される：
−送信信号が発信され、
−少なくとも１つの目標物体で反射された送信信号が受信ユニットにより受信され、
−受信信号が評価され、
−評価された受信信号に依存してハイパスフィルタの限界周波数が制御される。
【０００９】
それにより、目標物の「強度」に依存して、受信特性の適合化が実行されることが可能になるという利点がある。特に、強力な目標物がレーダーセンサの近くにあるとき、遠く離れている（「微弱な」）目標物を依然として良好に認識可能である。このことは、実際の周辺区域シナリオを表す受信された信号に依存して、限界周波数が上方に向かってシフトすることによって可能となる。
【００１０】
この課題は、第２の態様では、次のものを有するレーダーセンサによって解決される：
−受信ユニット、
−受信信号の最大値を判定するための最大値認識装置、
−受信信号の検出された最大値および受信信号を供給可能である制御装置。制御装置によって、判定された最大値および受信信号に依存してハイパスフィルタの限界周波数を制御可能である。
【００１１】
本発明による方法の好ましい実施形態は、従属請求項の対象である。
【００１２】
本方法の１つの好ましい発展例は、評価された受信信号に応じて、ハイパスフィルタの定義された数の限界周波数が調整されることを意図する。このようにして、実際に検出された周辺区域シナリオに合わせた簡単な適合化を行うことができ、そのつどの受信状況に合わせた限界周波数の一種のダイナミックな適合化が実行される。
【００１３】
本方法の別の好ましい発展例は、受信信号が強力であるほどハイパスフィルタの限界周波数が高く調整されることを特徴とする。それにより、強力な近接目標物が相応に減衰されることがサポートされる。それに対して、遠隔目標物は実質的に影響を受けずに検出可能なままに保たれる。
【００１４】
本方法の別の好ましい発展例は、受信信号の最大値が最大値認識装置によって検出され、受信信号とともに制御装置に供給されることを意図する。それにより、広範なデータ材料が限界周波数の制御のために提供されることがサポートされ、それにより、最新の検出された周辺区域シナリオに合わせたハイパスフィルタの限界周波数の正確な適合化が提供される。
【００１５】
本方法の別の好ましい発展例は、最大値が受信ユニットのすべてのチャネルから判定されることを意図する。このようにして、ワーストケースシナリオが具体化されるという利点があり、それにより、限界周波数の判定と制御にあたっての計算コストがサポートされるという利点があり、もっとも強力な受信チャネルが基準となる。それにより、限界周波数を判定するための計算コストを最小化できるという利点がある。さらに、このようにして受信ユニットのアナログ・デジタル・コンバータを飽和状態にならないよう効果的に守ることができる。
【００１６】
次に、上記以外の構成要件や利点を含めて、複数の図面を参照しながら本発明を詳しく説明する。その際には、記載または図示されているすべての構成要件が単独で、または任意の組み合わせで本発明の対象物を形成し、特許請求の範囲もしくはその引用において、これらの構成要件がどのようにまとめられているかには左右されず、また、発明の詳細な説明ないし図面の文章ないし図示でどのように表現されているかに左右されない。
【００１７】
開示されている方法構成要件は、開示されている相応の装置構成要件からもこれに準じて明らかとなり、その逆も成り立つ。このことは特に、レーダーセンサを作動させる方法に関わる構成要件、技術的な利点、および実施形態が、それに準ずる仕方でレーダーセンサに関わる対応する実施形態、構成要件、および利点から明らかとなり、その逆も成り立つことを意味する。
【００１８】
図面には次のものが示されている。
【図面の簡単な説明】
【００１９】
【図１】従来式のレーダーセンサの受信ユニットを示す原理的なブロック回路図である。
【図２】レーダーセンサの受信ユニットのハイパスフィルタの周波数特性曲線の従来式の推移である。
【図３】レーダーセンサの受信ユニットのハイパスフィルタの周波数特性曲線の本発明に基づく推移である。
【図４】本発明による方法の１つの実施形態を示す原理的なフローチャートである。
【図５】本発明によるレーダーセンサの受信ユニットを示す原理的なブロック回路図である。
【発明を実施するための形態】
【００２０】
本発明の基本思想は、ハイパスフィルタの限界周波数を受信信号に合わせて適合化して、強力な近接目標物でも微弱な遠隔目標物でも良好に検知可能にすることにある。
【００２１】
この目的のために、受信チェーンまたは送信出力の利得に代えて、ダイナミクス圧縮のために利用されるハイパスフィルタの限界周波数が制御される。ハイパスフィルタの限界周波数が有効周波数領域の内部に位置するように受信器が設計されているとき、限界周波数を上方に向かってシフトさせることで、近い目標物について受信レベルの低減を惹起することができ、それに対して、遠い目標物は実質的に影響を受けることがない。近接領域のレベルは小さな目標物についてさえ非常に高いが、遠隔領域の小さな目標物はしばしば雑音の中に消失してしまうので、提案されるこのような方法によって、レーダーセンサのパフォーマンスメリットを引き出すことができる。
【００２２】
図１は、レーダーセンサの受信ユニット１００のブロック回路図を原理的な仕方で示している。受信されたレーダー信号はアンテナ１０によって検出されて、増幅器２０により増幅され、引き続き、受信されたレーダー信号がミキサ３０でベースバンドへとダウンミキシングされる。受信ユニット１００のこの部分は高いダイナミクス要求をまだ比較的容易に満たすことができる。後続するＡ／Ｄコンバータ５０についてダイナミクスを補償するために、ミキサ３０とＡ／Ｄコンバータ５０の間にハイパスフィルタ４０がつながれている。受信ユニット１００の出力データは、Ａ／Ｄコンバータ５０と配線されたデジタルインターフェース６０によって出力され、データはデジタルインターフェース６０から外部のマイクロコントローラ（図示せず）へ二次処理のために送られる。それと同時に最大値認識装置７０により、目標物信号の最大値が受信ユニット１００のすべてのｎ個のチャネルＫ１．．．Ｋｎにわたりシーケンス中に認識ないし制御ないし提供される。このように最大値認識装置７０のためのデータは、簡単な仕方で判定可能な、デジタルインターフェース６０のためのデータからの一種の抜粋である。近い目標物は、このようなそれ自体公知の原理に基づいて低い周波数にマッピングされ、遠い目標物は高い周波数にマッピングされる。
【００２３】
図２は、レーダー目標物のダイナミクス差が取り扱われる、従来から適用されている原理を示す。ここではレーダーセンサによって検出されるべき目標物のシナリオが事前に定義され（たとえば歩行者、自動車、トラックなど）、定義されたシナリオに応じてハイパスフィルタ４０の限界周波数が調整される。これに相当する従来式のフィルタ曲線ないし周波数特性曲線が、図２に模式的に示されている。
【００２４】
図２には、レーダーセンサの受信ユニットのハイパスフィルタの３つのフィルタ特性ないし周波数特性曲線Ａ，Ｂ，Ｃを見ることができ、それぞれ最大の受信出力Ｐがベースバンド周波数ｆに対してプロットされている。これら３つのフィルタ特性Ａ，Ｂ，Ｃは、第１の限界周波数ｆＧ１までは実質的に平行に延びており、その後、定義された勾配で平行に延びるように降下していく。３つのフィルタ特性Ａ，ＢおよびＣはいずれも従来式の増幅制御が行われるケースに相当し、フィルタ特性Ｂ，Ｃはフィルタ特性Ａに比べて下方に向かって平行にシフトしており、このことは、ベースバンド周波数ｆが高く、それに伴って距離が遠いときに、微弱なレーダー目標物（たとえば遠く離れた歩行者）のレベルが雑音の中で消失することにつながるという不都合がある。従来式のレーダーセンサは、このように遠隔目標物についていわば「ブラインド」がある。
【００２５】
ハイパスフィルタ４０の提案されるフィルタ特性が図３に原理的に示されている。ハイパスフィルタ４０の周波数特性曲線が、図３では一例として３つの限界周波数ｆＧ１，ｆＧ２，ｆＧ３を有するフィルタ特性として示されており、それにより、無段階の制御と比べたときの技術的なコストを少なく抑えることができる。ハイパスフィルタ４０のフィルタ次数は、（目標物の距離の減少による）レベル上昇が、低い周波数のほうに向かってちょうど補償されるように設計されている。それによって特性曲線は限界周波数ｆＧ１，ｆＧ２，ｆＧ３の下方で屈曲し、ゼロに向かって実質的に一定のレベルに保たれる。
【００２６】
受信シナリオに応じて、このようにして限界周波数ｆＧ１．．．ｆＧ３がダイナミックに変更され、それにより、レーダーセンサの現在存在しているシナリオについて受信特性が最適化され、それにより、遠隔目標物でも近接目標物でも十分に認識可能となる。
【００２７】
調整可能な限界周波数ｆＧ１．．．ｆＧ３は、いずれも受信器の有効周波数領域に位置している。図３の特性曲線の降下していく分枝でベースバンド周波数を生成する遠く離れた物体については、限界周波数の制御によってダイナミクスが変化せず、減衰が行われることがない。近くの物体は特性曲線の水平の分枝でベースバンド周波数を生成し、すなわちハイパスフィルタ４０によって減衰される。複数の物体があるときの高い後方散乱断面積により、ダイナミクスはフィルタ減衰にもかかわらず十分である。それに伴い、フィルタ特性曲線は近接領域で高い入力レベルについて微分動作を惹起する。
【００２８】
図３の特性曲線については、一例として、通常動作についてのレベル計画が、限界周波数ｆＧ１を有するコンフィギュレーションを意図することが想定されている。新たな変調シーケンスの開始前に、レーダーセンサのすべてのｎ個のチャネルＫ１．．．Ｋｎの最大値が、先行するシーケンスから最大値認識装置７０により検出されて、評価される。この最大値が定義された閾値を上回っていて、ｆＧ１までの周波数領域に強力な目標物が存在していると、限界周波数ｆＧ２を有するコンフィギュレーションへと切換が行われる。Ａ／Ｄコンバータ５０の過励振につながることになる限界周波数ｆＧ１を下回る目標物体のレベルが、このようにして引き下げられるのに対して、限界周波数ｆＧ２を上回る物体のレベルは影響を受けないままに保たれ、すなわち不必要に減衰されることがない。このようにして、ハイパスフィルタ４０の限界周波数ｆＧ１．．．ｆＧｎをダイナミックに制御ないし調整することが可能になるという利点がある。
【００２９】
限界周波数ｆＧ１．．．ｆＧｎについての３つという数は、一例にすぎないとみなされるべきであり、たとえば、限界周波数の数をこれよりも増減させることが意図されていてもよく、この場合、２つという数が最低限度となる。
【００３０】
図４は、本発明による方法の１つの実施形態の原理的なフローチャートを示している。
【００３１】
ステップ２００で送信信号の発信が行われ、ステップ２１０で、少なくとも１つの目標物体で反射された送信信号の受信が受信ユニットによって行われる。
【００３２】
ステップ２２０で、受信信号の評価が行われる。
【００３３】
ステップ２３０で、評価された受信信号に依存して、ハイパスフィルタ４０の限界周波数ｆＧ１．．．ｆＧｎの制御が行われる。
【００３４】
図５は、本発明による受信ユニット１００の１つの実施形態の原理的なブロック回路図を示している。受信ユニット１００の各要素のうち図１ですでに説明したものは、簡略化のため、再度説明することをしない。ここでは、デジタルインターフェース６０と最大値認識装置７０のデータが供給される制御装置８０を追加的に見ることができる。供給されるデータに依存して、制御装置８０がハイパスフィルタ４０の限界周波数ｆＧ１．．．ｆＧｎを上に説明した仕方で判定、制御する。その結果として、レーダーセンサの受信シナリオとハイパスフィルタ４０の限界周波数との間で、制御式のフィードバック経路が提供される。このようにして、目標物についての距離ダイナミクスが実質的に除去されるので、受信ユニット１００のＡ／Ｄコンバータ５０が飽和状態にならないよう守られるという利点がある。
【００３５】
別案として、図面には示していないが、制御装置８０を受信ユニット１００の外部に配置することも可能である。
【００３６】
ハイパスフィルタ限界周波数を制御式に調整する方法は、たとえばマイクロコントローラ（図示せず）または制御装置８０の上で進行するソフトウェアとして構成されるのが好ましい。
【００３７】
要約すると、レーダーセンサの最新の周辺状況がハイパスフィルタの限界周波数のダイナミックな調整のために判定、評価される、レーダーセンサを作動させる方法が本発明によって提案される。このようにして、近接領域だけでなく遠隔領域でも、目標物の大きなダイナミクス差について高性能のレーダーセンサを具体化可能である。
当業者にとって、本発明の要部から外れることなく、本発明の上述した各構成要件を適切に改変し、相互に組み合わせることができることは自明である。
【符号の説明】
【００３８】
４０  ハイパスフィルタ
７０  最大値認識装置
８０  制御装置
１００  受信ユニット
【図１】
2019507351.tif 000003
【図２】
2019507351.tif 000004
【図３】
2019507351.tif 000005
【図４】
2019507351.tif 000006
【図５】
2019507351.tif 000007
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
レーダーセンサを作動させる方法において、次の各ステップを有しており、すなわち、
送信信号が発信され、
少なくとも１つの目標物体で反射された送信信号が受信ユニット（１００）により受信され、
受信信号が評価され、
評価された受信信号に依存してハイパスフィルタ（４０）の限界周波数（ｆＧ１．．．ｆＧｎ）が制御される方法。
【請求項２】
評価された受信信号に応じて前記ハイパスフィルタ（４０）の定義された数の限界周波数が調整される、請求項１に記載の方法。
【請求項３】
前記ハイパスフィルタ（４０）の限界周波数は受信信号が強力であるほど高く調整される、請求項１に記載の方法。
【請求項４】
受信信号の最大値が最大値認識装置（７０）により検出されて、受信信号とともに制御装置（８０）へ供給される、請求項１から３のいずれか１項に記載の方法。
【請求項５】
前記受信ユニット（１００）のすべてのチャネルから最大値が判定される、請求項１から４のいずれか１項に記載の方法。
【請求項６】
レーダーセンサにおいて、
受信ユニット（１００）と、
受信信号の最大値を判定するための最大値認識装置（７０）と、
受信信号の検出された最大値および受信信号を供給可能である制御装置（８０）とを有し、前記制御装置（８０）によって、判定された最大値および受信信号に依存してハイパスフィルタ（４０）の限界周波数（ｆＧ１．．．ｆＧｎ）を制御可能であるレーダーセンサ。
【請求項７】
前記制御装置（８０）は前記受信ユニット（１００）の内部に構成されることを特徴とする、請求項６に記載のレーダーセンサ。
【請求項８】
前記制御装置（８０）は前記受信ユニット（１００）の外部に構成されることを特徴とする、請求項６に記載のレーダーセンサ。
【請求項９】
電子制御装置（８０）で進行するときに、またはコンピュータ読取り可能なデータ媒体に保存されたときに、請求項１から５のいずれか１項に記載の方法を実施するためのプログラムコード手段を有しているコンピュータプログラム製品。
【国際調査報告】
2019507351.tif 000008
2019507351.tif 000009
2019507351.tif 000010
2019507351.tif 000011